(57)【要約】【課題】本発明の課題は、室外機の熱交換器からの放熱における蒸発潜熱による冷却効果を散水量に対して効率よく得られる室外機の補助冷却装置を提供することにある。【解決手段】室外機１０の補助冷却装置５０は、保湿部材７０，７０ａと、ノズル５３とを備える。保湿部材７０，７０ａは、空気調和装置の室外機１０の熱交換器３２を濡れた状態に維持し得る。ノズル５３は、保湿部材７０，７０ａに水を散水する。【選択図】図２
2007240107.tif 000002
【特許請求の範囲】
【請求項１】
空気調和装置の室外機（１０）の熱交換器（３２）を濡れた状態に維持し得る保湿部材（７０，７０ａ）と、
前記保湿部材に水を散水するノズル（５３）と、
を備える室外機の補助冷却装置（５０，５０ａ）。
【請求項２】
前記保湿部材（７０，７０ａ）と前記ノズル（５３）とは、前記熱交換器から通風方向上流側に、前記保湿部材、前記ノズルの順に配置される、
請求項１に記載の室外機の補助冷却装置（５０，５０ａ）。
【請求項３】
前記保湿部材（７０，７０ａ）と前記ノズル（５３）とは、前記熱交換器から通風方向下流側に、前記保湿部材、前記ノズルの順に配置される、
請求項１に記載の室外機の補助冷却装置（５０，５０ａ）。
【請求項４】
前記保湿部材（７０，７０ａ）は、前記熱交換器（３２）に接触させて配置する、
請求項１から３のいずれかに記載の室外機の補助冷却装置（５０，５０ａ）。
【請求項５】
前記保湿部材（７０，７０ａ）は、着脱自在である、
請求項１から４のいずれかに記載の室外機の補助冷却装置（５０，５０ａ）。
【請求項６】
前記保湿部材（７０）は、太糸（７１）が付加された布である、
請求項１から５のいずれかに記載の室外機の補助冷却装置（５０）。
【請求項７】
前記保湿部材（７０ａ）は、切れ目（７１ａ）の入った布である、
請求項１から６のいずれかに記載の室外機の補助冷却装置（５０ａ）。
【請求項８】
前記ノズル（５３）から前記熱交換器（３２）に水を散布する必要があるときに前記ノズルから間欠的に水をスプレーさせる制御部（５５）をさらに備える、
請求項１から７のいずれかに記載の室外機の補助冷却装置（５０，５０ａ）。
【請求項９】
前記制御部（５５）は、前記ノズルから水を散布させる間欠度合いを、外気温に応じて変更する、
請求項８に記載の室外機の補助冷却装置（５０，５０ａ）。
【請求項１０】
前記制御部（５５）は、前記室外機（１０）からの作動指令がないときには、前記ノズル（５３）から水を散布させない、
請求項８または９に記載の室外機の補助冷却装置（５０，５０ａ）。
【発明の詳細な説明】
【技術分野】
【０００１】
本発明は、空気調和装置の室外機の熱交換効率向上および能力向上を図る補助冷却装置に関するものである。
【背景技術】
【０００２】
夏季、室外機の効率向上および能力向上を図るため、室外熱交換器に対し散水が行われている。従来の技術では、室外機の補助冷却装置として、特許文献１に開示されているようなものが存在する。この装置では、室外機の熱交換器に水を散布し、この水の蒸発潜熱によって放熱フィンを冷却することにより、空気調和装置の冷房能力の向上と消費電力の低下による省エネルギー化を図り、安定した冷房運転を継続させている。
【特許文献１】特開２００４−１１６９９６号公報
【発明の開示】
【発明が解決しようとする課題】
【０００３】
しかし、特許文献１の技術では、室外機の熱交換器に散水された水の多くは、熱交換器において蒸発せずに排水として流れてしまい、熱交換器の冷却の補助として効果的に使われていない。このため、この技術では、散水された水量に対して蒸発潜熱による冷却効果が効率よく得られていない。
本発明の課題は、室外機の熱交換器からの放熱における蒸発潜熱による冷却効果を散水量に対して効率よく得られる室外機の補助冷却装置を提供することにある。
【課題を解決するための手段】
【０００４】
第１発明に係る室外機の補助冷却装置は、保湿部材と、ノズルとを備える。保湿部材は、空気調和装置の室外機の熱交換器を濡れた状態に維持し得る。ノズルは、保湿部材に水を散水する。
この室外機の補助冷却装置では、夏季に、室外機の効率向上および能力向上を図るため散水システムが活用されており、熱交換器に直接散水しているが、散水された水の多くは排水として流れてしまっている。この室外機の補助冷却装置では、熱交換器に布などの保湿部材を設置することで、散水が行われた際に熱交換器が濡れている状態を保持させる。
したがって、熱交換器を布などの保湿部材で覆うことにより、冷却効果の保持時間が長くなるとともに、散水水量を低減することができる。このため、水道代を安くすることができる。また、水の送水に使われるエネルギーを削減することができる。
【０００５】
第２発明に係る室外機の補助冷却装置は、第１発明に係る室外機の補助冷却装置であって、保湿部材とノズルとは、熱交換器から通風方向上流側に、保湿部材、ノズルの順に配置される。
【０００６】
この室外機の補助冷却装置は、室外機の熱交換器から通風方向上流側に、保湿部材、ノズルの順に配置される。したがって、ノズルは、通風方向上流側にあることにより、濡れにくくなり、ノズルに水を供給している給水配管を伝わって水が流れてしまうような無駄を少なくすることができる。このため、保湿部材に散水する水を効率よく利用することができる。
【０００７】
第３発明に係る室外機の補助冷却装置は、第１発明に係る室外機の補助冷却装置であって、保湿部材とノズルとは、熱交換器から通風方向下流側に、保湿部材、ノズルの順に配置される。
この室外機の補助冷却装置は、室外機の熱交換器から通風方向下流側に、保湿部材、ノズルの順に配置される。したがって、ノズルは、通風方向下流側にあることにより、ノズル端部などに溜まりやすい不純物の析出物を洗い流すことができる。このため、ノズルの目詰まり等を防ぐことができ、保湿部材に効率よく散水することができる。メンテナンスにかかる手間を軽減できる。
【０００８】
第４発明に係る室外機の補助冷却装置は、第１発明から第３発明のいずれかに係る室外機の補助冷却装置であって、保湿部材は、熱交換器に接触させて配置する。
この室外機の補助冷却装置では、保湿部材は、熱交換器に接触させる。したがって、保湿部材と熱交換器とを接触させることにより、より効果的に熱交換器を保湿することができ、冷却効果を高めることができる。
【０００９】
第５発明に係る室外機の補助冷却装置は、第１発明から第４発明のいずれかに係る室外機の補助冷却装置であって、保湿部材は、着脱自在である。
この室外機の補助冷却装置では、保湿部材は、着脱自在である。したがって、保湿部材を着脱自在にすることにより、保湿部材の使用を控えることができる。これにより、冬季における凍結を回避することができる。
【００１０】
第６発明に係る室外機の補助冷却装置は、第１発明から第５発明のいずれかに係る室外機の補助冷却装置であって、保湿部材は、太糸が付加された布である。
この室外機の補助冷却装置では、保湿部材は、太糸が付加された布である。したがって、保湿部材に保水量を増加させる効果がある太糸が付加された布を使用することにより、冷却効果の保持時間を延ばすことができる。また、散水水量を低減することができるため、水道代を安くすることができ、水の送水に使われるエネルギーを削減することができる。
【００１１】
第７発明に係る室外機の補助冷却装置は、第１発明から第６発明のいずれかに係る室外機の補助冷却装置であって、保湿部材は、切れ目の入った布である。
この補助冷却装置では、保湿部材は、切れ目の入った布である。したがって、保湿部材に切れ目の入った布を活用することにより、圧損が高まるのを防止できるため、通気性を高めることができ、冷却性能を向上させることが可能となる。
【００１２】
第８発明に係る室外機の補助冷却装置は、第１発明から第７発明のいずれかに係る室外機の補助冷却装置であって、制御部をさらに備えている。制御部は、ノズルから水を熱交換器に散布する必要があるときに、ノズルから間欠的に水を散布させる。
この室外機の補助冷却装置では、制御部がノズルから熱交換器に間欠的に水を散布させる。したがって、水を継続的に散布し続ける場合に比べ、水の消費量を抑えることが可能となる。このため、水道代を抑えることが可能となる。また、水を送るポンプ等の機器を継続して運転しなくとも良いため、消費エネルギーを抑えることが可能となる。
【００１３】
第９発明に係る室外機の補助冷却装置は、第８発明に係る室外機の補助冷却装置であって、制御部は、ノズルから水を散布させる間欠度合いを、外気温に応じて変更する。間欠度合いとは、水を散布している時間に対する水を散布していない時間の割合である。
この室外機の補助冷却装置では、例えば、外気温が高く熱交換器を濡らした水が蒸発し易い場合に間欠度合いを小さくしてトータルの水量を多くし、外気温が比較的低く熱交換器を濡らした水が蒸発し難い場合に間欠度合いを大きくしてトータルの水量を少なくするというような制御が可能となる。ここでは、水を散布する際に熱交換器からの水の蒸発の速さを考慮して水量を調整することが可能となるようになるため、スケールの発生をより小さく抑えることが可能となる。
【００１４】
第１０発明に係る室外機の補助冷却装置は、第８発明または第９発明に係る室外機の補助冷却装置であって、室外機からの作動指令がないときには、ノズルから水が散布されない。
この室外機の補助冷却装置では、室外機が熱交換器の補助冷却の必要がないと判断した場合には補助冷却装置のノズルから水が散布されないため、水が浪費されて無駄な費用が生じることが防止される。例えば、室外機は、冷媒の高圧圧力が異常なレベルまで上昇したときにだけ、運転停止を回避するために補助冷却装置へ作動指令を出す。
【発明の効果】
【００１５】
第１発明に係る室外機の補助冷却装置では、熱交換器を布などの保湿部材で覆うことにより、冷却効果の保持時間が長くなるとともに、散水水量を低減することができる。このため、水道代を安くすることができる。また、水の送水に使われるエネルギーを削減することができる。
第２発明に係る室外機の補助冷却装置では、ノズルは、通風方向上流側にあることにより、濡れにくくなり、ノズルに水を供給している給水配管を伝わって水が流れてしまうような無駄を少なくすることができる。このため、保湿部材に散水する水を効率よく利用することができる。
【００１６】
第３発明に係る室外機の補助冷却装置では、ノズルは、通風方向下流側にあることにより、ノズル端部などに溜まりやすい不純物の析出物を洗い流すことができる。このため、ノズルの目詰まり等を防ぐことができ、保湿部材に効率よく散水することができる。メンテナンスにかかる手間を軽減できる。
第４発明に係る室外機の補助冷却装置では、保湿部材と熱交換器とを接触させることにより、より効果的に熱交換器を保湿することができ、冷却効果を高めることができる。
【００１７】
第５発明に係る室外機の補助冷却装置では、着脱自在にすることで、保湿部材の使用を控えることができる。これにより、冬季における凍結を回避することができる。
第６発明に係る室外機の補助冷却装置では、保湿部材に、保水量を増加させる効果がある太糸が付加された布を使用することで、冷却効果の保持時間を延ばすことができる。また、散水水量を低減することができるため、水道代を安くすることができ、水の送水に使われるエネルギーを削減することができる。
【００１８】
第７発明に係る室外機の補助冷却装置では、保湿部材に、切れ目の入った布を活用することで、圧損が高まるのを防止できるため、通気性を高めることができ、冷却性能を向上させることが可能となる。
第８発明に係る室外機の補助冷却装置では、水を継続的に散布し続ける場合に比べ、水の消費量を抑えることが可能となる。このため、水道代を抑えることが可能となる。また、水を送るポンプ等の機器を継続して運転しなくとも良いため、消費エネルギーを抑えることが可能となる。
【００１９】
第９発明に係る室外機の補助冷却装置では、水を散布する際に熱交換器からの水の蒸発の速さを考慮して水量を調整することが可能となるようになるため、スケールの発生をより小さく抑えることが可能となる。
第１０発明に係る室外機の補助冷却装置では、室外機が熱交換器の補助冷却の必要がないと判断した場合には補助冷却装置のノズルから水が散布されないため、水が浪費されて無駄な費用が生じることが防止される。
【発明を実施するための最良の形態】
【００２０】
＜室外機の構成＞
本発明の一実施形態に係る補助冷却装置５０がオプションとして付けられる空気調和装置の室外機１０を、図１に示す。室外機１０は、マルチタイプの空気調和装置を構成しており、ビルの屋上等に設置されるとともに、複数の室内機（図示せず）に連絡配管を介して接続されている。
室外機１０は、側面から空気を吸入して熱交換した後に上面の吹出口（後述の空気吹出口２５ａ）から熱交換後の空気を吹き出すタイプのものであり、ケーシング１２と、ケーシング１２の内部空間に収納された室外側冷媒回路１３と、ケーシング１２の内部空間の上部に設けられた送風ファン１４とを備えている。
【００２１】
（１）ケーシング
ケーシング１２は、略直方体形状であり、主に、４つの角部にそれぞれ配置された支柱２１〜２４と、上面パネル２５と、前面パネル２６と、後面パネル２７と、１対の側面パネル２８と、下面パネル２９とから構成されている。
【００２２】
支柱２１〜２４は、ケーシング１２の各角部の上端から下端まで延びる柱状の部材であり、上面パネル２５、前面パネル２６、後面パネル２７、１対の側面パネル２８および下面パネル２９を固定支持している。
上面パネル２５は、中央に設けられた開口からなる空気吹出口２５ａ（上面）を有しており、開口の上部を覆うようにファングリル２５ｂが設けられている。そして、ケーシング１２内に吸入された空気は、空気吹出口２５ａから上方に向かって吹き出されるようになっている。
【００２３】
後面パネル２７には、ケーシング１２内に空気を吸入するための空気吸入口２７ａが形成されている。本実施形態において、空気吸入口２７ａは、詳細は図示しないが、ほぼ全面に設けられた開口からなる。また、１対の側面パネル２８にも、ケーシング１２内に空気を吸入するための空気吸入口２８ａが、それぞれ形成されている。本実施形態において、空気吸入口２８ａは、前面パネル２６近傍を除く面に設けられた開口からなる。これらの３つの空気吸入口２７ａ，２８ａから、ケーシング１２の内部空間に空気が吸入されるようになっている。
【００２４】
下面パネル２９は、室外側冷媒回路１３を構成する機器および配管類を固定支持している。また、下面パネル２９は、据付面との間にスペースが可能となるように、４つの支柱２１〜２４に支持されている。
（２）冷媒回路および熱交換器
室外側冷媒回路１３は、圧縮機３１、熱交換器３２などの機器、およびこれらの機器を接続する配管類から構成されている。圧縮機３１や熱交換器３２などの主要な機器は、下面パネル２９に固定されている。すなわち、室外側冷媒回路１３を構成する機器および配管類は、主として、ケーシング１２の下部に配置されている。
【００２５】
熱交換器３２は、上面視において略Ｕ字形状であり、３面の各部分が３つの空気吸入口２７ａ，２８ａに対向するように配置されている。また、熱交換器３２は、その外面が、室外機１０の外から直接見えるようになっており、ケーシング１２とともに室外機１０の外面を構成している。そして、熱交換器３２は、その内部を流れる冷媒と、空気吸入口２７ａ，２８ａから吸入された空気との間で、熱交換を行わせる。
【００２６】
（３）送風ファン
送風ファン１４は、プロペラファンであり、ケーシング１２の内部空間の上部において、空気吹出口２５ａに対向するように配置されている。送風ファン１４は、複数のプロペラ翼４１と、プロペラ翼４１の内周部を固定するハブ（図示せず）と、ハブを回転駆動するファンモータ４２とを有している。ファンモータ４２は、支持フレーム（図示せず）を介して、ケーシング１２に固定されている。これにより、送風ファン１４は、空気吸入口２７ａ，２８ａを通じて、室外空気をケーシング１２の側面からケーシング１２の内部に吸入して、熱交換器３２を通過させた後、ケーシング１２の上部に導いて空気吹出口２５ａから吹き出すことが可能である。
【００２７】
また、室外機１０の送風ファン１４や圧縮機３１などの機器は、図３に示す室外制御ユニット１９によってコントロールされる。室外機１０の中に配備される室外制御ユニット１９には、熱交換器３２の温度を測定する熱交換器サーミスタ６１、圧縮機３１の吐出管の温度を測定する吐出管サーミスタ６２、外気の温度を測定する外気サーミスタ６３などが接続されており、各種データが室外制御ユニット１９に集まる。
【００２８】
＜補助冷却装置の構成および動作＞
上述の室外機１０に装着される補助冷却装置５０は、主として、本体５１と、給水配管５２と、ノズル５３（本実施形態においては２つ）と、保湿部材７０とから構成されている。本体５１の中には、図３に示す補助冷却制御ユニット５５が収納されている。また、本体５１内に位置する給水配管５２の上流端には、図示しない水道管から所定圧力の水が供給される。また、この水道管からの水は、補助冷却制御ユニット５５によりコントロールされる給水バルブ５４（図３参照）を介して給水配管５２に供給される。ノズル５３は、室外機１０の熱交換器３２に、細かい粒状または霧状の水をほぼ均一に散布することが可能である。
【００２９】
保湿部材７０は、熱交換器３２と接し、放熱フィンの全体を覆っている。保湿部材７０は、ノズル５３より散水された水を保湿することが可能である。保湿部材７０は、熱交換器３２より着脱自在であり、冬季は凍結を防止するために熱交換器３２から外し、夏季のみ使用している。また、この保湿部材７０には、太糸７１が付加された布を使用している（図４参照）。保湿部材７０に太糸７１を使用することにより保水量を増加させることができ、熱交換器３２の冷却効果の保持時間を延ばすことができる。
【００３０】
補助冷却制御ユニット５５は、上述の室外制御ユニット１９と接続されており、室外制御ユニット１９からの指令に基づいて給水バルブ５４を開けて、ノズル５３から熱交換器３２への散水を行わせる。したがって、室外制御ユニット１９からの指令がないときには、ノズル５３から水が散布されることはない。ここでは、高圧圧力が異常なレベルまで上昇したときにだけ、空調運転停止を回避するために、室外制御ユニット１９が補助冷却制御ユニット５５に指令を出す。
【００３１】
室外制御ユニット１９からの指令があったときに、補助冷却制御ユニット５５は、給水バルブ５４の開閉を繰り返し、ノズル５３から熱交換器３２に間欠的に水を散布させる。その間欠度合いについては、熱交換器３２に散布された水が確実に蒸発するように調整される。本実施形態においては、補助冷却制御ユニット５５にタイマー５６を備え、給水バルブ５４を制御することにより、ノズル５３からの散水を所定間隔で間欠的に行い、水の蒸発潜熱を最大限有効に利用可能となるようにしている。すなわち、ノズル５３から熱交換器３２に散布される水の量は補助冷却制御ユニット５５によって調整される。また、補助冷却制御ユニット５５は、水を散布された保湿部材７０がほぼ乾くまでタイマー５６によって待機し、再びノズル５３に散水させ、これを繰り返し行う。
【００３２】
また、補助冷却制御ユニット５５は、ノズル５３から熱交換器３２に水を散布させる間欠度合いを、外気温に応じてさらに微調整する。外気温のデータは、室外制御ユニット１９を介して外気サーミスタ６３から取得される。散布の間欠度合いの微調整としては、外気温が高くなるほど水量が増えるように給水バルブ５４の閉状態に対して開状態を長くすることが行われる。具体的には、外気温と間欠度合いとの相関テーブルに基づいて、補助冷却制御ユニット５５が散布の間欠度合いの微調整を行う。
【００３３】
＜特徴＞
（１）
この室外機１０の補助冷却装置５０では、夏季に、室外機１０の効率向上および能力向上を図るため散水システムが活用されており、熱交換器３２に直接散水しているが、散水された水の多くは排水として流れてしまっている。この室外機１０の補助冷却装置５０では、熱交換器３２に布などの保湿部材７０を接触させ、散水の際に熱交換器３２が濡れている状態を保持させる。また、保湿部材７０は、熱交換器に接触しているため、より効果的に熱交換器を保湿することができ、冷却効果を高めることができる。
【００３４】
（２）
この室外機１０の補助冷却装置５０は、室外機１０の熱交換器３２から通風方向上流側に、保湿部材７０、ノズル５３の順に配置される。したがって、ノズル５３は、通風方向上流側にあることにより、濡れにくくなり、ノズル５３に水を供給している給水配管５２を伝わって水が流れてしまうような無駄を少なくすることができる。このため、保湿部材７０に散水する水を効率よく利用することができる。
【００３５】
（３）
この室外機１０の補助冷却装置５０では、保湿部材７０は、着脱自在である。したがって、着脱自在にすることで、保湿部材７０の使用を控えることができる。これにより、冬季における保湿部材７０の凍結を回避することができる。
（４）
保湿部材７０に、保水量を増加させる効果がある太糸７１が付加された布を使用することで、冷却効果の保持時間を延ばすことができる。また、散水水量を低減することができるため、水道代を安くすることができ、水の送水に使われるエネルギーを削減することができる。
【００３６】
（５）
この室外機１０の補助冷却装置５０では、補助冷却制御ユニット５５がノズル５３から熱交換器３２に間欠的に水を散布させる。したがって、水を継続的に散布し続ける場合に比べ、水の消費量を抑えることが可能となる。このため、水道代を抑えることが可能となる。また、水を送るポンプ等の機器を継続して運転しなくとも良いため、消費エネルギーを抑えることが可能となる。
【００３７】
（６）
この室外機１０の補助冷却装置５０では、例えば、外気温が高く熱交換器３２を濡らした水が蒸発し易い場合に間欠度合いを小さくしてトータルの水量を多くし、外気温が比較的低く熱交換器３２を濡らした水が蒸発し難い場合に間欠度合いを大きくしてトータルの水量を少なくするというような制御が可能となる。ここでは、水を散布する際に熱交換器３２からの水の蒸発の速さを考慮して水量を調整することが可能となるようになるため、スケールの発生をより小さく抑えることが可能となる。
【００３８】
（７）
この室外機１０の補助冷却装置５０では、室外機１０が熱交換器３２の補助冷却の必要がないと判断した場合には補助冷却装置５０のノズル５３から水が散布されないため、水が浪費されて無駄な費用が生じることが防止される。例えば、室外機１０は、冷媒の高圧圧力が異常なレベルまで上昇したときにだけ、運転停止を回避するために補助冷却装置５０へ作動指令を出す。
【００３９】
＜変形例＞
（Ａ）
上記実施形態では、補助冷却装置５０は室外機１０の熱交換器３２から通風方向上流側に、保湿部材７０，７０ａ、ノズル５３の順に配置しているが、逆に、室外機１０の熱交換器３２から通風方向下流側に、保湿部材７０，７０ａ、ノズル５３の順に配置しても良い。これにより、ノズル端部などに溜まりやすい不純物の析出物を洗い流すことができる。このため、ノズル５３の目詰まり等を防ぐことができ、保湿部材７０，７０ａに効率の良い散水を維持することができる。メンテナンスにかかる手間を軽減できる。
また、上記実施形態では、熱交換器に保湿部材を接触させて設置しているが、特に接触しなくとも良い。
【００４０】
（Ｂ）
上記実施形態では、室外機１０において高圧圧力が異常なレベルまで上昇し、室外制御ユニット１９から補助冷却制御ユニット５５に指令が出されたときにだけ、ノズル５３から熱交換器３２に水が散布されている。これにより、水の浪費が抑えられ、水道代の節約が行われている。
【００４１】
これに対して、熱交換器３２に水をかけて冷却することで熱交換効率が向上して空気調和装置の電気代の節約が見込める場合には、水を多めに使用することになっても補助冷却装置５０を長く作動させ、電気のほうの省エネルギー化を図るようにすることが可能である。例えば、電力使用量がピークになる時間帯や時期において、補助冷却装置５０を積極的に長時間作動させることによって、使用する電力を抑えることが可能となる。
【００４２】
（Ｃ）
上記実施形態では、補助冷却装置５０を室外機１０に付けるオプションとして説明を行っているが、このような補助冷却装置５０が最初から室外機１０に組み込まれていてもよい。この場合には、図２や図３において室外機１０のケーシング１２の外に配置されている補助冷却装置５０の本体５１をケーシング１２の内部空間に配備して、室外機１０の見栄えをさらに良くすることが容易に可能となる。また、補助冷却制御ユニット５５と室外制御ユニット１９との結線も容易になる。
【００４３】
（Ｄ）
上記実施形態では、保湿部材７０に太糸７１を付加した布を使用しているが、代わりに保湿部材７０ａに切れ目７１ａの入った布を使用しても良い（図５参照）。この補助冷却装置５０ａでは、保湿部材に、切れ目７１ａの入った布を活用することで、圧損が高まるのを防止できるため、通気性を高めることができ、冷却性能を向上させることが可能となる。また、太糸を付加し、かつ切れ目の入った布を使用しても良い。この場合には、さらに太糸を付加することで、保湿部材の保水量を増加させることが可能となる。
【産業上の利用可能性】
【００４４】
本発明に係る室外機の補助冷却装置は、熱交換器を布などの保湿部材で覆うことにより、冷却効果の保持時間が長くなるとともに、散水水量を低減することができ、空気調和装置の室外機の熱交換効率向上および能力向上を図る補助冷却装置等として有用である。
【図面の簡単な説明】
【００４５】
【図１】本発明の実施の形態に係る補助冷却装置がオプションとして付く室外機の斜視図。
【図２】本発明の実施の形態に係る補助冷却装置および室外機の熱交換器を背面側から見た概略斜視図。
【図３】本発明の実施の形態に係る室外機および補助冷却装置の概略制御ブロック図。
【図４】本発明の実施の形態に係る補助冷却装置の保湿部材の概略図。
【図５】本発明の変形例に係る補助冷却装置の保湿部材の概略図。
【符号の説明】
【００４６】
１０          室外機
３２          熱交換器
５０          補助冷却装置
５２          給水配管
５３          ノズル
５５          補助冷却制御ユニット（制御部）
７０，７０ａ  保湿部材
【図１】
2007240107.tif 000003
【図２】
2007240107.tif 000004
【図３】
2007240107.tif 000005
【図４】
2007240107.tif 000006
【図５】
2007240107.tif 000007